(57)【要約】【課題】バイオセンサの読取り値解析度を高める方法の提供。【解決手段】検体をバイオセンサのバイオチップ上に置き、この検体中の特定成分をバイオチップで検出して時間の経過と共に変化する反応電流を発生させ、この反応電流に基づき対応する電圧−時間放電曲線を求め、この放電曲線中の時間ｔ０  に対応する電圧Ｖｏ  を中心電圧とし、時間ｔ０  の近隣の複数の異なる時間に対応する個別電圧を選択し、中心電圧とこれら個別電圧の平均電圧を求め、この平均電圧を時間ｔ０  に対応する出力電圧となす。こうして放電曲線中の放電終点時間前の各時間に対応する平均電圧を求め、その個別出力電圧となす。この放電曲線中の各時間に対応する出力電圧を一組の二値化デジタル信号に変換し、該二値化デジタル信号に基づき検体中の特定成分濃度に対応する読取り値を求める。【選択図】        図５
2004264217.tif 000002
【特許請求の範囲】
【請求項１】
バイオセンサの読取り値解析度を高める方法において、
検体をバイオセンサのバイオチップ上に置き、この検体中の特定成分をバイオチップで検出して時間の経過と共に変化する反応電流を発生させるステップ、
該時間の経過と共に変化する反応電流に基づき対応する電圧−時間放電曲線を得るステップ、
該電圧−時間放電曲線中の時間ｔ０  に対応する電圧Ｖｏ  を中心電圧とし、時間ｔ０  の近隣の複数の異なる時間に対応する個別電圧を選択し、中心電圧とこれらの選択された個別電圧の平均電圧を求め、この平均電圧を時間ｔ０  に対応する出力電圧となすステップ、
前のステップで得られた該電圧−時間放電曲線中の放電終点時間前の各時間に対応する平均電圧を求めて各時間の出力電圧となすステップ、
該電圧−時間放電曲線中の各時間に対応する出力電圧を一組の二値化デジタル信号に変換するステップ、
この二値化デジタル信号に基づき、検体中の特定成分濃度に対応する読取り値を求めるステップ、
以上のステップを具えたことを特徴とする、バイオセンサの読取り値解析度を高める方法。
【請求項２】
請求項１に記載のバイオセンサの読取り値解析度を高める方法において、電圧−時間放電曲線を求めるステップで、時間の経過と共に変化する反応電流に基づき、対応するピーク電圧を求め、該ピーク電圧及び該ピーク電圧に対応する電圧−時間放電曲線対照表に基づき、対応する電圧−時間放電曲線を選択することを特徴とする、バイオセンサの読取り値解析度を高める方法。
【請求項３】
請求項１に記載のバイオセンサの読取り値解析度を高める方法において、複数の個別電圧が、中心電圧Ｖｏ  に隣り合う三つの個別電圧Ｖ１  、Ｖ２  、Ｖ３  を含むことを特徴とする、バイオセンサの読取り値解析度を高める方法。
【請求項４】
請求項１に記載のバイオセンサの読取り値解析度を高める方法において、複数の個別電圧のサンプリング時間間隔がミリセカンドとされたことを特徴とする、バイオセンサの読取り値解析度を高める方法。
【請求項５】
請求項１に記載のバイオセンサの読取り値解析度を高める方法において、複数の個別電圧のサンプリング時間間隔がマイクロセカンドとされたことを特徴とする、バイオセンサの読取り値解析度を高める方法。
【発明の詳細な説明】
【０００１】
【発明の属する技術分野】
本発明は一種のバイオセンサ測定値サンプリング方法に係り、特に、バイオセンサの読取り値解析度を高める方法に関する。
【０００２】
【従来の技術】
近年、特定酵素触媒反応を利用した各種バイオセンサが開発されて医療用途に使用されている。このようなバイオセンサは糖尿病治療にも用いられており、糖尿病患者が自身の血糖値（血液中のブドウ糖濃度）を正常の範囲内にコントロールするのに役立っている。入院中の糖尿病患者ならば、医師の監督下で自身の血糖値を正常範囲内にコントロールできるが、入院していない患者の場合、医師が直接監督できないため、患者自身による血糖値コントロールが非常に重要である。
【０００３】
血糖値のセルフコントロールは、飲食、運動及び薬剤により達成される。これらの治療方式は通常医師の監督下で同時に採用される。糖尿病患者自身がその血糖値が正常範囲にあるかを検査できれば、患者はさらに有効に自身の血糖値をセルフコントロールできる。
【０００４】
図１は患者の血糖値セルフチェック用の血糖計であり、それは、主検査ユニット１０と、血糖値測定に供されるバイオチップ１２を具えている。図１２はバイオチップ１２の分解図であり、それは前端に電極部１２２１を具えた条状基板１２を具えている。電極部１２２１の上方は反応層１２４、スペーサ１２６及びカバー１２８で被覆されている。電極部１２２１には操作電極１２２２と該操作電極１２２２を包囲する対応電極１２２４が設けられている。操作電極１２２２と対応電極１２２４はそれぞれ条状基板１２２の後端の導線１２２６と導線１２２８に電気的に連接されている。電極部１２２１の上方を被覆する反応層１２４はフェリシアン化カリウム及びオキシダーゼ、例えばグルコースオキシダーゼを含む。
【０００５】
上述の血糖計を使用する時は、先ずバイオチップ１２を主検査ユニット１０に挿入する。その後、患者が針を自己の皮膚に突き刺して血滴を染みださせ、しみ出た血滴を直接主検査ユニット１０のバイオチップ１２の端部に滴らせる。この血滴は電極部１２２１上方に位置する反応層１２４に吸入され、反応層１２４を溶解させて酵素触媒反応を起こし、これは以下の反応式に示されるとおりである。
【化１】
2004264217.tif 000003
所定量のフェリシアン化カリウムは悦益サンプル中のブドウ糖濃度により発生する。所定時間経過した後、作用電圧Ｖｒｅｆ  がバイオチップ１２に印加され、電気化学反応でフェリシアン化カリウムが酸化されて電子が放出され、対応する反応電流が発生して操作電極１２２２を通過する。この反応電流は酵素触媒反応で発生するフェリシアン化カリウム濃度に正比例するか或いは血液サンプル中のブドウ糖濃度に正比例する。この反応電流を測定することにより血液サンプル中のブドウ糖濃度を得ることができる。
【０００６】
図３は図１に示される血糖計の制御回路表示図である。そのうちバイオチップ１２の電極部１２２１は抵抗Ｒ３  と見なされ、作用電圧Ｖｒｅｆ  は電池より供給される。バイオチップ１２の発生する反応電流Ｉは時間の経過と共に漸次減衰し、血液サンプル中のブドウ糖濃度に対応する放電曲線を形成する。さらに、各時間点の反応電流Ｉは増幅抵抗Ｒｆ  を具えた電流／電圧変換器３２により出力電圧Ｖｏｕｔ  に変換される。これにより、時間の経過と共に漸次減衰する反応電流Ｉが電流／電圧変換器３２を通った後に、電圧−時間放電曲線が形成される。この電圧−時間放電曲線中の各時間点に対応する電圧はアナログデジタル変換器３４で変換されてデジタル信号とされる。マイクロコンピュータ３６がアナログデジタル変換器３４からのこれらのデジタル信号を読取、並びにこれらのデジタル信号に基づき、血液サンプル中のブドウ糖濃度値を求め、さらに液晶ディスプレイ３８にこのブドウ糖濃度値を表示し、患者の参考に供する。
【０００７】
上述の周知の血糖計で測定して得られた血液中のブドウ糖濃度の電圧−時間放電曲線中、各出力電圧Ｖｏｕｔ  は整数値しか測定できず、電圧値範囲は０〜２５５ｍＶの間であり、周知の血糖計の血糖値読取り値の解析度は制限を受ける。さらに、周知の血糖計は各出力電圧を小数点以下まで正確に測定できず、このため血糖計の血糖計読取り値解析度を高めることができない。
【０００８】
このため、周知のバイオセンサの読取り値解析度が制限を受ける欠点を克服できるバイオチップ測定値サンプリング方法が求められている。
【０００９】
【発明が解決しようとする課題】
本発明の主要な目的は、一種のバイオセンサの読取り値解析度を高める方法を提供することにあり、それは、複数回のサンプリングにより平均値を求めることにより、測定値出力信号を小数点以下までの正確なものとすることができ、バイオセンサの読取り値解析度を高められる方法であるものとする。
【００１０】
本発明の別の目的は、一種のバイオセンサの読取り値解析度を高める方法を提供することにあり、それは余分の構成部品を増すことなく、製造コストを減らすことができる方法であるものとする。
【００１１】
本発明のさらに別の目的は、一種のバイオセンサの読取り値解析度を高める方法を提供することにあり、それは、検体中の特定成分放電曲線中より選択した隣り合う異なる時間点の個別の測定値よりその平均値を求めることにより測定値出力信号の雑音干渉を減らす方法であるものとする。
【００１２】
【課題を解決するための手段】
請求項１の発明は、バイオセンサの読取り値解析度を高める方法において、
検体をバイオセンサのバイオチップ上に置き、この検体中の特定成分をバイオチップで検出して時間の経過と共に変化する反応電流を発生させるステップ、
該時間の経過と共に変化する反応電流に基づき対応する電圧−時間放電曲線を得るステップ、
該電圧−時間放電曲線中の時間ｔ０  に対応する電圧Ｖｏ  を中心電圧とし、時間ｔ０  の近隣の複数の異なる時間に対応する個別電圧を選択し、中心電圧とこれらの選択された個別電圧の平均電圧を求め、この平均電圧を時間ｔ０  に対応する出力電圧となすステップ、
前のステップで得られた該電圧−時間放電曲線中の放電終点時間前の各時間に対応する平均電圧を求めて各時間の出力電圧となすステップ、
該電圧−時間放電曲線中の各時間に対応する出力電圧を一組の二値化デジタル信号に変換するステップ、
この二値化デジタル信号に基づき、検体中の特定成分濃度に対応する読取り値を求めるステップ、
以上のステップを具えたことを特徴とする、バイオセンサの読取り値解析度を高める方法としている。
請求項２の発明は、請求項１に記載のバイオセンサの読取り値解析度を高める方法において、電圧−時間放電曲線を求めるステップで、時間の経過と共に変化する反応電流に基づき、対応するピーク電圧を求め、該ピーク電圧及び該ピーク電圧に対応する電圧−時間放電曲線対照表に基づき、対応する電圧−時間放電曲線を選択することを特徴とする、バイオセンサの読取り値解析度を高める方法としている。
請求項３の発明は、請求項１に記載のバイオセンサの読取り値解析度を高める方法において、複数の個別電圧が、中心電圧Ｖｏ  に隣り合う三つの個別電圧Ｖ１  、Ｖ２  、Ｖ３  を含むことを特徴とする、バイオセンサの読取り値解析度を高める方法としている。
請求項４の発明は、請求項１に記載のバイオセンサの読取り値解析度を高める方法において、複数の個別電圧のサンプリング時間間隔がミリセカンドとされたことを特徴とする、バイオセンサの読取り値解析度を高める方法としている。
請求項５の発明は、請求項１に記載のバイオセンサの読取り値解析度を高める方法において、複数の個別電圧のサンプリング時間間隔がマイクロセカンドとされたことを特徴とする、バイオセンサの読取り値解析度を高める方法としている。
【００１３】
【発明の実施の形態】
本発明の方法によると、検体をバイオセンサのバイオチップ上に置き、この検体中の特定成分をバイオチップで検出して時間の経過と共に変化する反応電流を発生させる。時間の経過と共に変化する反応電流に基づき対応する電圧−時間放電曲線を求める。この放電曲線中の時間ｔ０  に対応する電圧Ｖｏ  を中心電圧とし、時間ｔ０  の近隣の複数の異なる時間に対応する個別電圧を選択し、中心電圧とこれらの選択された個別電圧の平均電圧を求め、この平均電圧を時間ｔ０  に対応する出力電圧となす。以上のステップにより放電曲線中の放電終点時間前の各時間に対応する平均電圧を求めて、その個別出力電圧となす。この放電曲線中の各時間に対応する出力電圧を一組の二値化デジタル信号に変換する。この二値化デジタル信号に基づき、検体中の特定成分濃度に対応する読取り値を求める。
【００１４】
本発明の方法は、検体中の特定成分の電圧−時間放電曲線より複数の隣り合う異なる時間点の電圧を選択し、電圧平均値を得て、並びにこの電圧平均値をこれらの隣り合う時間点の間の中心時間点の測定出力値となし、各測定出力値を小数点以下まで求めた正確なものとし、これによりバイオセンサの読取り値解析度を高めると共に、各測定出力信号の雑音干渉を減らす。
【００１５】
【実施例】
本発明で使用するバイオセンサの組成部品は一般の特定酵素反応原理を利用したバイオセンサの組成部品と同じである。本発明のバイオセンサは図１から図３に示される周知のバイオセンサの構成要件を具え、即ち、抵抗Ｒ３  を具えたバイオチップ１２、電圧供給源３０、増幅回路Ｒｆ  を具えた電流／電圧変換器３２、アナログデジタル変換器３４、マイクロコンピュータ３６及びディスプレイ３８を具えている。本発明のバイオセンサが検体中の特定成分含有量を測定する原理は図１の周知のバイオセンサが採用している原理と同じであり、いずれも検体をバイオセンサの出検査ユニット１０に挿入されたバイオチップ１２の上に置き、並びに特定成分とバイオチップ１２の反応層１２４に含まれる酵素の間の酵素触媒反応結果を測定することにより、この特定成分の含有量を測定する。これにより、本発明のバイオセンサはバイオチップ１２の反応層１２４に含まれる酵素成分の違いにより、異なるバイオ検体中の異なる特定成分を測定することができる。例えば、バイオチップ１２の反応層１２４がグルコースオキシダーゼを含む時、このバイオセンサは血液サンプル中のブドウ糖濃度を測定できる。バイオチップ１２の反応層１２４がラクトースオキシダーゼを含む時、このバイオセンサは血液サンプル中の乳酸濃度を測定できる。バイオチップ１２の反応層１２４がコレステロールオキシダーゼを含む時、このバイオセンサは血液サンプル中のコレステロール濃度を測定できる。血液中のブドウ糖濃度を測定する場合を例とすると、血液サンプルが本発明のバイオセンサのバイオチップ１２に滴下されると、血液サンプル中のブドウ糖とバイオチップ１２の反応層１２４のフェリシアン化カリウムがグルコースオキシダーゼの触媒反応下で酸化還元反応し、血液サンプル中のブドウ糖濃度と正比例する所定量のフェロシアン化カリウムを発生する。これにより、検体例えば血液サンプルがバイオチップ１２の上に置かれて所定の時間が経ち、検体の特定成分例えば血液サンプル中のブドウ糖の酵素触媒反応が完成した後、電圧供給源３０例えば電池が、作用電圧Ｖｒｅｆ  をバイオチップ１２に印加すると、バイオチップ１２がこの特定成分含有量に対応して反応電流Ｉを発生し、例えばこの作用電圧Ｖｒｅｆ  が血液サンプル中のブドウ糖濃度に対応する所定量のフェロシアン化カリウムに対して酸化反応を起こさせて電子を放出させ、対応する反応電流Ｉを発生させる。この反応電流Ｉは時間変化に伴い徐々に減少し、並びに各時間点の反応電流Ｉは電流／電圧変換器３２で出力電圧Ｖｏｕｔ  に変換される。これにより、検体中の特定成分がバイオチップ１２により検出された後に、バイオセンサがこの特定成分濃度に対応する電圧−時間放電曲線を得る。この電圧−時間放電曲線中の各一つの時間点が対応する出力電圧Ｖｏｕｔ  はアナログデジタル変換器３４で一組の二値化デジタル信号（ｂｉｎａｒｙ  ｄｉｇｉｔｉｚｅｄ  ｄａｔａ）に変換される。マイクロコンピュータ３６はこの電圧−時間放電曲線の放電終点時間及びこの放電終点時間以前の全ての時間点に対応する二値化デジタル信号に基づき、血液サンプル中のブドウ糖濃度に対応する読取り値を決定する。この読取り値はディスプレイ３８例えば��晶ディスプレイ３８により表示される。
【００１６】
また一方で、本発明のバイオセンサは検体中の特定成分をバイオチップ１２で検出した後、対応して発生する最大出力電圧Ｖｏｕｔ  及びマイクロコンピュータ３６にビルトインされた出力電圧−特定成分放電曲線対照表に基づき、この最大出力電圧Ｖｏｕｔ  に対応する標準の特定成分放電曲線を選択する。この対照表中の各特定成分放電曲線は電圧−時間放電曲線とされる。さらにこの標準の特定成分放電曲線に基づき、その対応する放電終点時間を決定する。マイクロコンピュータ３６は即ち選択した標準の特定成分放電曲線及びその放電終点時間に基づき検体中のこの特定成分の含有量を決定する。
【００１７】
本発明のバイオセンサの作用原理は一般のバイオセンサの作用原理と異なるところはないが、本発明はバイオセンサの読取り値解析度を高める方法を提供しており、それは検体中の特定成分放電曲線中の複数の隣り合う異なる時間点の個別電圧を利用し、平均電圧を求めてこれらの隣り合う異なる時間点より選択した中心時間点の出力電圧となし、これによりこの中心時間点出力電圧の解析度を高める。本発明は上述の複数回のサンプリングにより平均値を求める方法を以て、この特定成分放電曲線中の各時間点の出力電圧の解析度を高める。
【００１８】
本発明のバイオセンサの読取り値解析度を高める方法は以下の具体的実施例と添付の図面を組み合わせて説明される。
【００１９】
図４、５を参照されたい。図４は検体中の特定成分が本発明のバイオセンサで測定された後に発生する電圧−時間放電曲線である。図５は第１実施例のステップフローチャートである。本発明の第１実施例は図１から図３に示されるバイオセンサに組み合わせて以下のように詳細に説明される。まず、ステップ５０１で、検体を本発明のバイオセンサのバイオチップ１２の上に置く。この検体中の特定成分をバイオチップ１２で測定して電圧−時間放電曲線を形成する。図４に示されるように、続いて、ステップ５０２で、この電圧−時間放電曲線中の時間ｔ０  に対応する電圧Ｖｏ  を中心電圧として、時間ｔ０  の近隣の異なる時間ｔ１  、ｔ２  、ｔ３  に対応する個別電圧Ｖ１  、Ｖ２  、Ｖ３  を選択する。ステップ５０３で、これら四つの電圧Ｖｏ  、Ｖ１  、Ｖ２  、Ｖ３  の平均電圧を求め、この平均電圧を時間ｔ０  に対応する出力電圧となす。例えば、時間ｔ０  に対応する電圧値１０１ｍＶを中心電圧とし、時間ｔ０  の近隣の三つの異なる時間点ｔ１  、ｔ２  、ｔ３  に対応する電圧値１０３ｍＶ、１００ｍＶ、９９ｍＶを選択し、続いてこれら四つの電圧値の平均電圧値である１００．７５ｍＶを求め、この平均電圧値１００．７５ｍＶを時間ｔ０  に対応する出力電圧Ｖｏｕｔ  となし、この時間ｔ０  に対応する出力電圧１００．７５ｍＶをアナログデジタル変換器３４で一組の二値化デジタル信号に変換する。そのうち、１００ｍＶは前の８ビット（２０  ，２１  ，２２  ，２３  ，２４  ，２５  ，２６  ，２７  ）で表示し、０．７５ｍＶは後ろの２ビット（２−１，２−２）で表示する。これにより、時間ｔ０  の出力電圧１００．７５ｍＶの１０ビットデジタル信号は（０１１００１００１１）となる。バイオセンサが時間ｔ０  に対して測定する出力電圧は僅かに数ビットにしか過ぎず、ステップ５０２から５０３の方法により時間ｔ０  に対応する出力電圧解析度を小数点以下２桁まで解析できる。さらに、時間ｔ０  の出力電圧のビット数も８ビットから１０ビットまで解析度を高めることができる。さらにステップ５０２で、時間ｔ０  に対する時間サンプリング間隔はミリセカンド（ｍｓ）或いはマイクロセカンド（μｓ）とされ、サンプリング方式は時間ｔ０  の中心電圧の前の一つの電圧及び後ろの二つの電圧を選択するほか、時間ｔ０  の中心電圧の前の二つの電圧と後ろの二つの電圧を選択しても、或いは時間ｔ０  の中心電圧の前の三つの電圧或いは時間ｔ０  の中心電圧の後ろの三つの電圧を選択してもよい。
【００２０】
続いて、ステップ５０４で、ステップ５０２から５０３で得られた電圧−時間放電曲線中の放電終点時間前の各時間点に対応する平均電圧を求めて各時間点の出力電圧となす。ステップ５０５で、この電圧−時間放電曲線中の放電終点時間前の各時間点に対応する出力電圧をアナログデジタル変換器３４で一組の二値化デジタル信号に変換する。その後、ステップ５０６で、マイクロコンピュータ３６でこれら二値化デジタル信号に基づき、検体中の特定成分濃度に対応する読取り値を求め、さらにディスプレイ３８例えば液晶ディスプレイにこの読取り値を表示させる。ステップ５０２から５０４により検体中のこの特定成分の放電曲線中の各時間点の出力電圧解析度を小数点以下２桁まで高めることができる。このほか、ステップ５０２から５０４で各時間点出力電圧の雑音干渉を減らすことができる。
【００２１】
図６は本発明の第２実施例のステップフローチャートであり、第１実施例と同様に図１から図３に示されるバイオセンサと組み合わせて以下に説明される。まず、ステップ６０１で、検体を本発明のバイオセンサのバイオチップ１２の上に置く。この検体中の特定成分をバイオチップ１２で検出して時間の経過と共に減衰する反応電流Ｉを発生させ、電流／電圧変換器３２で変換し、最大出力電圧Ｖｏｕｔ  を発生させる。続いて、ステップ６０２で、バイオセンサで測定して得た最大出力電圧Ｖｏｕｔ  （ピーク電圧）及びマイクロコンピュータ３６にビルトインされた出力電圧（ピーク電圧）−特定成分放電曲線対照表に基づき、この最大出力電圧Ｖｏｕｔ  （ピーク電圧）に対応する標準の特定成分放電曲線を選択し、この標準の特定成分放電曲線を電圧−時間放電曲線となし、並びに対応する放電終点時間を得る。続いてステップ６０３で、この標準の特定成分放電曲線中の時間ｔ０  に対応する電圧Ｖｏ  を中心電圧とし、時間ｔ０  の近隣の三つの異なる時間ｔ１  、ｔ２  、ｔ３  に対応する個別電圧Ｖ１  、Ｖ２  、Ｖ３  を選択する。ステップ６０４で、これら四つの電圧Ｖｏ  、Ｖ１  、Ｖ２  、Ｖ３  の平均電圧を求め、この平均電圧を時間ｔ０  に対応する出力電圧となす。本発明の第２実施例のステップ６０３は第１実施例のステップ５０２と同じであり、時間ｔ０  に対応する時間サンプリング間隔はミリセカンド（ｍｓ）或いはマイクロセカンド（μｓ）とされ、サンプリング方式は時間ｔ０  の中心電圧の前の一つの電圧及び後ろの二つの電圧を選択するほか、時間ｔ０  の中心電圧の前の二つの電圧と後ろの二つの電圧を選択しても、或いは時間ｔ０  の中心電圧の前の三つの電圧或いは時間ｔ０  の中心電圧の後ろの三つの電圧を選択してもよい。続いて、ステップ６０５で、ステップ６０３から６０４で得られたこの標準の特定成分放電曲線の放電終点時間前の各時間点に対応する平均電圧を求めて各時間点の出力電圧となす。続いて、ステップ６０６で、アナログデジタル変換器３４でこの標準の特定成分放電曲線の放電終点時間前の各時間点に対応する出力電圧を変換して一組の二値化デジタル信号に変換する。その後、ステップ６０７で、マイクロコンピュータ３６でこれら二値化デジタル信号に基づき、検体中の特定成分濃度に対応する読取り値を求め、さらにディスプレイ３８例えば液晶ディスプレイにこの読取り値を表示させる。
【００２２】
【発明の効果】
本発明のバイオセンサの読取り値解析度を高める方法はソフトウエアにより実行でき、並びに余分の構成部品を増加する必要がなく、製造コストを下げる目的を達成する。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】周知の血糖計の外観表示図である。
【図２】図１の血糖計のバイオチップの部品分解図である。
【図３】図１の血糖計の制御回路表示図である。
【図４】本発明の検体中の特定成分の放電曲線図である。
【図５】本発明の第１実施例のステップフローチャートである。
【図６】本発明の第２実施例のステップフローチャートである。
【符号の説明】
１０  主検査ユニット              １２２６、１２２８  導線
１２  バイオチップ
１２２  条状基板
１２２１  電極部
１２４  反応層
１２６  スペーサ
１２８  カバー
１２２２  操作電極
１２２４  対応電極
３０  電圧供給源
３２  電流／電圧変換器
３４  アナログデジタル変換器
３６  マイクロコンピュータ
３８  ディスプレイ
【図１】
2004264217.tif 000004
【図２】
2004264217.tif 000005
【図３】
2004264217.tif 000006
【図４】
2004264217.tif 000007
【図５】
2004264217.tif 000008
【図６】
2004264217.tif 000009